(57)【特許請求の範囲】
【請求項１】
吸収体と、少なくとも一部が液透過性材料からなり、前記吸収体の上面を被覆するように配置されたトップシートと、液不透過性材料からなり、前記吸収体の下面を被覆するように配置されたバックシートとを備えた吸収性物品であって、
前記バックシートの下面側に襞状に折り畳まれた状態で配置された汚れ防止シートを更に備え、
前記汚れ防止シートは、少なくとも一方の側縁が自由端となっており、前記自由端が前記バックシートの各側縁の少なくとも一部から外方に引き出されることにより、前記バックシートの各側縁の外方領域に前記汚れ防止シートが展開されるように構成され、
前記汚れ防止シートは、展開防止用の仮止めがなされるとともに、少なくとも前記自由端側の一部が、前記バックシートに対して着脱自在に構成され、且つ、前記汚れ防止シートの外周部分の少なくとも一部に、排泄物の流出を防止するための立体ギャザーが配置されている吸収性物品。
【請求項２】
襞状に折り畳まれた状態の前記汚れ防止シートの襞状部が、前記襞状部の重なり部分をずらすようにして配置されている請求項１に記載の吸収性物品。
【請求項３】
前記汚れ防止シートは、前記トップシートと前記バックシートとによって構成されたサイドフラップの各側縁から延出されたものである請求項１又は２に記載の吸収性物品。
【請求項４】
前記汚れ防止シートは、前記バックシートの下面側に固定端が接続されたものである請求項１又は２に記載の吸収性物品。
【請求項５】
前記汚れ防止シートは、前記自由端に、前記バックシートの側縁から外方に引き出すための摘み部を有している請求項１〜４のいずれか一項に記載の吸収性物品。
【請求項６】
前記汚れ防止シートは、前記自由端に、廃棄手段を有している請求項１〜５のいずれか一項に記載の吸収性物品。
【請求項７】
前記汚れ防止シートは、シート展開時における上方の少なくとも一部に、吸収性材料からなる吸収性シートが更に配置されたものである請求項１〜６のいずれか一項に記載の吸収性物品。
【請求項８】
前記汚れ防止シートは、シート展開時における上方の少なくとも一部に、液透過性材料からなる液透過性シートが更に配置されたものである請求項１〜７のいずれか一項に記載の吸収性物品。
【請求項９】
前身頃、股下部及び後身頃の各部から構成されており、
前記後身頃の左右の各側縁から延出するように配置された、前記前身頃と前記後身頃とを固定するための止着テープを更に備えたテープ型使い捨ておむつである請求項１〜８のいずれか一項に記載の吸収性物品。
【請求項１０】
前記汚れ防止シートは、少なくとも前記股下部及び前記後身頃における、前記バックシートの各側縁の外方領域に展開されるように構成されている請求項９に記載の吸収性物品。
【発明の詳細な説明】
【技術分野】
【０００１】
本発明は、吸収性物品に関する。更に詳しくは、排泄物の吸収性物品の外側への漏れ出しによる、衣類や寝具の汚れを有効に防止することが可能な吸収性物品に関する。
【背景技術】
【０００２】
吸収性物品は、尿や便などの排泄物を吸収する使い捨ておむつ（例えば、テープ型おむつ、パンツ型おむつ、尿便パッド等）としての利用が広く知られている。近年、乳幼児用、或いは高齢者・障害者用のおむつとして、吸収体と、吸収体の上面を被覆するように配置され、少なくとも一部が液透過性材料からなるトップシートと、吸収体の下面を被覆するように配置され、液不透過性材料からなるバックシートとを備えた使い捨ておむつが汎用されている。
【０００３】
図１６に示すように、例えば、テープ型使い捨ておむつ１００は、前身頃２、股下部４及び後身頃６の各部から構成されており、吸収体２２と、少なくとも一部が液透過性材料からなり、吸収体２２の上面を被覆するように配置されたトップシート１８と、液不透過性材料からなり、吸収体２２の下面を被覆するように配置されたバックシート２０と、後身頃６の左右の各側縁から延出するように配置された、前身頃２と後身頃６とを固定するための止着テープ１０と、を備えたものである。
【０００４】
このようなテープ型使い捨ておむつ１００は、止着テープ１０によっておむつの前身頃２と後身頃６とを相互に固定することで、着用者に容易に装着させることができるという利点を有している。そして、着用者の排泄物はトップシート１８の液透過性の部分（図中ではセンターシート１８ａ）を透過して吸収体２２に吸収されるとともに、通常、液不透過性の材料で構成されるバックシート２０によって外部への漏洩が防止され、排泄物をおむつ内部に保持することができる。
【０００５】
吸収性物品は、乳幼児用のみならず、高齢者・障害者用、即ち、成人用の使い捨ておむつ等としても利用されている。このような吸収性物品を交換する際には、吸収性物品の外に排泄物が漏れてしまうことがある。
【０００６】
例えば、テープ型使い捨ておむつ等の利用者においては、排泄の際に下剤を用いる場合もあり、大量の軟便や水様便を排泄することがある。このような場合には、おむつを開放した際や体位交換した際に、使い捨ておむつから排泄物が漏れてしまい、衣類や寝具等が汚れてしまうということがあった。
【０００７】
また、おむつ交換時において、おむつ利用者の陰部等を洗浄する際には、洗浄用の溶剤や湯等が用いられるが、特に、腰周り等の洗浄を行う場合に、洗浄用の溶剤や湯が開放したおむつの外側にはみ出して漏れてしまい、衣類や寝具等が汚れてしまうということもあった。
【０００８】
このため、例えば、テープ型使い捨ておむつの下側に、吸収体の大きなフラットタイプの吸収性物品を更に数枚配置したり、防水シーツを配置することにより、排泄物のはみ出しや飛散により衣類や寝具等が汚れてしまうことを防ぐ対策が取られることが知られている。
【０００９】
また、例えば、おむつ替え時におむつ本体の長手方向一端部から外方に延出するようになされた液不透過性のシートを備え、このシートの端部に、丸めた状態のおむつ本体の収容が可能な袋状の収容部を備えた使い捨ておむつが提案されている（例えば、特許文献１参照）。
【００１０】
【特許文献１】特開２００５−１３１３８２号公報
【発明の開示】
【発明が解決しようとする課題】
【００１１】
しかしながら、テープ型使い捨ておむつの下側に、吸収体の大きなフラットタイプの吸収性物品を更に数枚配置したり、防水シーツを配置する場合には、設置・回収の手間が煩雑であるために介護者及び着用者の両方ともに大きな負担がかかってしまうという問題があった。また、交換の度に大量の吸収性物品を消費してしまうために経済的でないという問題もあった。
【００１２】
また、特許文献１の使い捨ておむつは、おむつの後身頃の端縁からの排泄物の漏れを防ぐことはできるものの、おむつの側縁からの漏れを防ぐことはできず、おむつ交換時等に、衣類や寝具（例えば、シート）等が汚れてしまうという問題があった。特に、この使い捨ておむつは、排泄量の少ない乳幼児を対象としたものであり、利用者が成人の場合には、おむつの側縁からの漏れがより顕著になってしまう。
【００１３】
本発明は、このような従来技術の課題を解決するためになされたものであって、排泄物の吸収性物品の外側への漏れ出しによる、衣類や寝具の汚れを有効に防止することが可能な吸収性物品を提供するものである。
【課題を解決するための手段】
【００１４】
本発明者は、前記のような従来技術の課題を解決するために鋭意検討した結果、おむつのバックシートの側縁の外方領域に展開されるような汚れ防止シートを吸収性物品に配置し、この汚れ防止シートを、使用時以外はバックシートの下面側に収納させておき、例えば、おむつ交換時等には、この汚れ防止シートをバックシートの側縁の外方に引き出して使用することによって、上記課題が解決されることに想到し、本発明を完成させた。具体的には、本発明により、以下の吸収性物品が提供される。
【００１５】
［１］  吸収体と、少なくとも一部が液透過性材料からなり、前記吸収体の上面を被覆するように配置されたトップシートと、液不透過性材料からなり、前記吸収体の下面を被覆するように配置されたバックシートとを備えた吸収性物品であって、前記バックシートの下面側に襞状に折り畳まれた状態で配置された汚れ防止シートを更に備え、前記汚れ防止シートは、少なくとも一方の側縁が自由端となっており、前記自由端が前記バックシートの各側縁の少なくとも一部から外方に引き出されることにより、前記バックシートの各側縁の外方領域に前記汚れ防止シートが展開されるように構成され、前記汚れ防止シートは、展開防止用の仮止めがなされるとともに、少なくとも前記自由端側の一部が、前記バックシートに対して着脱自在に構成され、且つ、前記汚れ防止シートの外周部分の少なくとも一部に、排泄物の流出を防止するための立体ギャザーが配置されている吸収性物品。
［２］  襞状に折り畳まれた状態の前記汚れ防止シートの襞状部が、前記襞状部の重なり部分をずらすようにして配置されている前記［１］に記載の吸収性物品。
【００１６】
［３］  前記汚れ防止シートは、前記トップシートと前記バックシートとによって構成されたサイドフラップの各側縁から延出されたものである前記［１］又は［２］に記載の吸収性物品。
【００１７】
［４］  前記汚れ防止シートは、前記バックシートの下面側に固定端が接続されたものである前記［１］又は［２］に記載の吸収性物品。
【００２０】
［５］  前記汚れ防止シートは、前記自由端に、前記バックシートの側縁から外方に引き出すための摘み部を有している前記［１］〜［４］のいずれかに記載の吸収性物品。
【００２１】
［６］  前記汚れ防止シートは、前記自由端に、廃棄手段を有している前記［１］〜［５］のいずれかに記載の吸収性物品。
【００２２】
［７］  前記汚れ防止シートは、シート展開時における上方の少なくとも一部に、吸収性材料からなる吸収性シートが更に配置されたものである前記［１］〜［６］のいずれかに記載の吸収性物品。
【００２３】
［８］  前記汚れ防止シートは、シート展開時における上方の少なくとも一部に、液透過性材料からなる液透過性シートが更に配置されたものである前記［１］〜［７］のいずれかに記載の吸収性物品。
【００２４】
［９］  前身頃、股下部及び後身頃の各部から構成されており、前記後身頃の左右の各側縁から延出するように配置された、前記前身頃と前記後身頃とを固定するための止着テープを更に備えたテープ型使い捨ておむつである前記［１］〜［８］のいずれかに記載の吸収性物品。
【００２５】
［１０］  前記汚れ防止シートは、少なくとも前記股下部及び前記後身頃における、前記バックシートの各側縁の外方領域に展開されるように構成されている前記［９］に記載の吸収性物品。
【発明の効果】
【００２６】
本発明の吸収性物品は、吸収性物品の交換時等に、排泄物の吸収性物品の外側への漏れ出しによる、衣類や寝具等の汚れを有効に防止することができる。
【発明を実施するための最良の形態】
【００２７】
以下、本発明の吸収性物品を実施するための最良の形態について具体的に説明する。但し、本発明はその発明特定事項を備える吸収性物品を広く包含するものであり、以下の実施形態に限定されるものではない。
【００２８】
本発明の吸収性物品は、吸収体と、吸収体の上面を被覆するように配置され、少なくとも一部が液透過性材料からなるトップシートと、吸収体の下面を被覆するように配置され、液不透過性材料からなるバックシートとを備えた吸収性物品であって、バックシートの下面側に折り畳まれた状態又はロール状に巻き取られた状態で配置された汚れ防止シートを更に備えたものである。
【００２９】
そして、上述した汚れ防止シートは、少なくとも一方の側縁が自由端となっており、この自由端がバックシートの各側縁の少なくとも一部から外方に引き出されることにより、バックシートの各側縁の外方領域に上記汚れ防止シートが展開されるように構成されている。
【００３０】
このような吸収性物品は、吸収性物品の交換時に上記汚れ防止シートを展開させることにより、排泄物の吸収性物品の外側への漏れ出しによる、衣類や寝具等の汚れを有効に防止することができる。
【００３１】
本発明の吸収性物品は、上述した構成の汚れ防止シートを更に備えている点に特徴があり、吸収性物品の本体の構造は、上記汚れ防止シートに加えて、吸収体、トップシート、バックシートを備えている限り、特に制限されるものではない。例えば、本発明の吸収性物品は、テープ型の使い捨ておむつであってもよいし、パンツ型の使い捨ておむつであってもよい。また、パンツ型の使い捨ておむつの場合には、それが１ピースタイプのものであってもよいし、２ピースタイプのものであってもよい。更には、テープ型やパンツ型の使い捨ておむつに限らず、尿パッド等であってもよい。
【００３２】
以下、本発明の吸収性物品の一の実施形態として、テープ型使い捨ておむつを例として更に具体的に説明する。
【００３３】
なお、本明細書において「テープ型使い捨ておむつ」とは、図１に示すテープ型使い捨ておむつ１ａのように、前身頃２、股下部４及び後身頃６の各部から構成されており、吸収体２２と、少なくとも一部が液透過性材料からなり、吸収体２２の上面を被覆するように配置されたトップシート１８と、液不透過性材料からなり、吸収体２２の下面を被覆するように配置されたバックシート２０と、後身頃６の左右の各側縁６ａ，６ｂから延出するように配置された、前身頃２と後身頃６とを固定するための止着テープ１０とを備えた使い捨ておむつを意味するものとする。
【００３４】
また、本明細書において、「前身頃」とは、着用者におむつを装着した際に、着用者の腹側（身体前方）を覆う部分、「股下部」とは、着用者におむつを装着した際に、着用者の股下を覆う部分、「後身頃」とは、着用者におむつを装着した際に、着用者の背側（身体後方）を覆う部分を意味するものとする。
【００３５】
［１］テープ型使い捨ておむつ：
本実施形態のテープ型使い捨ておむつは、吸収体と、少なくとも一部が液透過性材料からなり、吸収体の上面を被覆するように配置されたトップシートと、液不透過性材料からなり、吸収体の下面を被覆するように配置されたバックシートと、後身頃の左右の各側縁から延出するように配置された、前身頃と後身頃とを固定するための止着テープと、バックシートの下面側に折り畳まれた状態で配置された汚れ防止シートとを備えたものである。なお、本実施形態のテープ型使い捨ておむつは、吸収体の両側縁に、トップシートとバックシートとによってサイドフラップが形成されている。
【００３６】
そして、本実施形態のテープ型使い捨ておむつは、この汚れ防止シートが、二つの自由端を有し、それぞれの自由端がバックシートの各側縁の少なくとも一部から外方に引き出されることにより、バックシートの各側縁の外方領域に汚れ防止シートが展開されるように構成されている。
【００３７】
［１−１］汚れ防止シート：
汚れ防止シートは、バックシートの下面側に折り畳まれた状態で配置されたものである。
【００３８】
この汚れ防止シートは、少なくとも一方の側縁が自由端となっており、この自由端がバックシートの各側縁から外方に引き出されることにより、バックシートの各側縁の外方領域に汚れ防止シートが展開されるように構成されている。おむつ交換時におむつを開放する際や、着用者の体位交換する際には、この汚れ防止シートをバックシートの各側縁の外方領域に展開させることによって、バックシートの側縁から漏れた排泄物を汚れ防止シートで受け止めることができる。
【００３９】
例えば、図１〜図４に示すテープ型使い捨ておむつ１ａ（吸収性物品１）は、前身頃２、股下部４及び後身頃６の各部から構成されており、吸収体２２と、少なくとも一部が液透過性材料からなり、吸収体２２の上面を被覆するように配置されたトップシート１８と、液不透過性材料からなり、吸収体２２の下面を被覆するように配置されたバックシート２０と、後身頃６の左右の各側縁６ａ，６ｂから延出するように配置された、前身頃２と後身頃６とを固定するための止着テープ１０と、バックシート２０の下面側に折り畳まれた状態で配置された汚れ防止シート１４とを備えたものである。
【００４０】
そして、図５〜図９に示すように、この汚れ防止シート１４は二枚のシートから構成されており、各シート（汚れ防止シート１４ａ，１４ｂ）の一方の側縁が自由端１６（１６ａ，１６ｂ）となっており、それぞれの自由端１６ａ，１６ｂがバックシート２０（図５〜図９においては、トップシート１８とバックシート２０とによって構成されたサイドフラップ８）の各側縁の少なくとも一部から外方に引き出されることにより、バックシート２０の各側縁の外方領域に汚れ防止シート１４が展開されるように構成されている。
【００４１】
ここで、図１は、本発明の吸収性物品の一の実施形態としてのテープ型使い捨ておむつを示す一部切り欠き断面図であり、テープ型使い捨ておむつを展開し、トップシート側から見た状態を示す図である。また、図２は、図１に示すテープ型使い捨ておむつのバックシート側から見た状態を示す図である。図３は、図１に示すテープ型使い捨ておむつのＡ−Ａ’断面を示す概略断面図であり、図４は、図１に示すテープ型使い捨ておむつのＢ−Ｂ’断面を示す概略断面図である。
【００４２】
また、図５は、図１に示すテープ型使い捨ておむつの汚れ防止シートを展開させ、トップシート側から見た状態を示す図である。図６は、図５に示すテープ型使い捨ておむつのバックシート側から見た状態を示す図である。図７は、図５に示すテープ型使い捨ておむつのＣ−Ｃ’断面を示す概略断面図であり、図８は、図５に示すテープ型使い捨ておむつのＤ−Ｄ’断面を示す概略断面図である。また、図９は、図５に示すテープ型使い捨ておむつの斜視図である。
【００４３】
このように構成することによって、排泄物による衣類や寝具等の汚れを有効に防止することができる。例えば、おむつ利用者が排泄の際に下剤を用い、大量の軟便や水様便を排泄した場合には、おむつ交換時におむつを開放するとおむつの側縁から排泄物が漏れてしまうことがあるが、本実施形態のテープ型使い捨ておむつは、バックシートの各側縁の外方領域に汚れ防止シートを展開させることができるため、側縁から漏れ出した排泄物を汚れ防止シートにて良好に受け止めることができる。
【００４４】
なお、本実施形態のテープ型使い捨ておむつは、おむつ自体に配置された汚れ防止シートを側縁外方に引き伸ばすだけで汚れ防止シートが展開され、側縁から漏れ出す排泄物を受け止める準備が可能となる。このため、従来のおむつ交換時のように、吸収体の大きなフラットタイプの吸収性物品をおむつの周辺に適宜配置するような煩雑な準備を行う必要はない。また、不要な吸収性物品の消費を抑えることができるため、経済的である。
【００４５】
この汚れ防止シートは、その少なくとも自由端側の一部が、バックシートに対して着脱自在に構成されている。これにより、一旦引き出された汚れ防止シートをバックシートの下面に再度収納することが可能となり、汚れ防止シートを一旦展開させたとしても、例えば、おむつが汚れておらず交換する必要がない場合には、汚れ防止シートを再収納し、そのテープ型使い捨ておむつを使用し続けることができる。
【００４６】
また、おむつ交換時等において、おむつ利用者の陰部を洗浄する際にも、上記汚れ防止シートを展開させておくことによって、洗浄用の溶剤や湯等の飛散から、衣類や寝具等を守ることができる。
【００４７】
このような汚れ防止シートは、少なくとも股下部及び後身頃における、バックシートの各側縁の外方領域に展開されるように構成されていることが好ましい。例えば、上述した軟便や水様便は、股下部や後身頃における側縁からの漏れが顕著になるため、このような位置に少なくとも汚れ防止シートが展開されるように構成されることによって、排泄物による衣類や寝具等の汚れを有効に防止することができる。
【００４８】
図１〜図４に示すテープ型使い捨ておむつ１ａは、汚れ防止シート１４として、二枚の汚れ防止シート１４ａ，１４ｂが用いられ、それぞれの汚れ防止シート１４ａ，１４ｂの一方の側縁が、各自由端１６を形成し、他方の側縁が、バックシート２０の長手軸に対して接続されて固定端１７を形成している。
【００４９】
汚れ防止シート１４の各自由端１６は、おむつ着用時に、上記自由端１６がバックシート２０の下面側から脱離して展開してしまわないように、バックシート２０の下面側にて仮止めされている。なお、本明細書において、「仮止め」というときは、固着部分に対し９０°方向に剥離力を加えた際に、容易に剥離可能な程度に固着されていることを意味する。
【００５０】
仮止めの方法としては、テープ型使い捨ておむつのテープファスナーを折り畳んだ状態で仮止めする方法等が知られており（例えば、特開平１０−２４０６６号公報、特開２００２−１５９５３０号公報等）、これらの方法を本発明においても利用することができる。具体的には、ホットメルト接着剤による接着、メカニカルファスナーによる係合、熱エンボス加工や超音波溶着による極めて弱い溶着ないし圧着等の方法を挙げることができる。
【００５１】
また、図１〜図４に示すテープ型使い捨ておむつ１ａの汚れ防止シート１４は、バックシート２０の下面側に、襞状に折り畳まれた状態で配置されている。このように構成することによって、上記外方領域に展開される長さの長い汚れ防止シート１４を、バックシート２０の下面側にコンパクトに収納することができる。
【００５２】
このように汚れ防止シートが襞状に折り畳まれている場合には、おむつ使用時に折り目が広がらないように、汚れ防止シートの折り目の一部を仮止めしておくことが好ましい。このような展開防止用の仮止めの方法としては、上記した汚れ防止シートの自由端を仮止めする方法と同様の方法を用いることができる。
【００５３】
なお、汚れ防止シートは、上述した襞状に折り畳まれた状態でバックシートの下面側に収納される。例えば、図１０に示すテープ型使い捨ておむつ１ｂのように、バックシート２０の長手軸方向を中心軸として、ロール状に巻き取られた状態で配置された他の汚れ防止シートを挙げることができる。
【００５４】
ここで、図１０は、吸収性物品としてのテープ型使い捨ておむつの他の例を示す平面図であり、テープ型使い捨ておむつを展開し、バックシート側から見た状態を示す図である。
【００５５】
なお、図１〜図４に示すテープ型使い捨ておむつ１ａにおいては、上述したように、二枚の汚れ防止シート１４ａ，１４ｂが用いられ、それぞれの汚れ防止シート１４ａ，１４ｂの一方の側縁が、各自由端１６ａ，１６ｂを形成し、他方の側縁が、固定端１７を形成しているが、例えば、図１０に示すように、一枚のシートによって汚れ防止シート１４ｃが構成され、この汚れ防止シート１４ｃの中央部分がバックシート２０の長手軸に対して接続されて固定端１７を形成し、汚れ防止シート１４ｃの両端部の先端側のそれぞれが、各自由端１６ａ，１６ｂを形成していてもよい。
【００５６】
また、例えば、図１１に示すテープ型使い捨ておむつ１ｃのように、汚れ防止シート１４が二枚のシート（汚れ防止シート１４ａ，１４ｂ）によって構成されている場合には、それぞれの汚れ防止シート１４ａ，１４ｂの固定端１７が、バックシート２０の下面のそれぞれの側縁側に接続され、それぞれの汚れ防止シート１４ａ，１４ｂがバックシート２０の長手方向中心軸に向けて折り畳まれたものであってもよい。なお、汚れ防止シートの折り畳み状態については、上記したものに限定されることはない。
【００５７】
ここで、図１１は、本発明の吸収性物品の一の実施形態としてのテープ型使い捨ておむつの更に他の例を示す平面図であり、テープ型使い捨ておむつを展開し、バックシート側から見た状態を示す図である。
【００５８】
なお、この汚れ防止シートは、上述したように、別体のシートをバックシートの下面に接続させたものに限定されることはなく、例えば、バックシートの各側縁から一体的に延出されたものや、吸収体の両側縁に形成されたサイドフラップの各側縁から一体的に延出されたものであってもよい。例えば、汚れ防止シートがサイドフラップから直接延出されたものの場合には、サイドフラップと汚れ防止シートとの境界がなくなるため、より確実に漏れ出した排泄物を受け止めることができる。また、製造時には、別体のシートを配置する手間を省略することができ、吸収性物品の製造が容易になる。
【００５９】
このような汚れ防止シートは、例えば、バックシートの側縁にて、バックシートの下面側に折り返され、上記した別体の汚れ防止シートと同様の方法によって、バックシートの下面側に収納させることができる。
【００６０】
なお、図３及び図４において、汚れ防止シートの襞状部は略同じ箇所で折り重ねられているが、一箇所に襞状部の重なり部分が集中すると、例えば、汚れ防止シートの素材によっては、重なり部分の厚さが厚くなり、この部分が固くなってしまうことがある。このため、汚れ防止シートの襞状部は、重なり部分をずらして配置したり、折り幅を広げて重なり部分があまり多くならないように配置することが好ましい。なお、一箇所における襞状部の重なり部分の最大厚さは、例えば、一般的に使い捨ておむつに使用される素材において、１０ｍｍ以下であることが好ましく、５ｍｍ以下であることがさらに好ましい。
【００６１】
また、汚れ防止シートのバックシートの各側縁の外方領域に展開される長さ（以下、「展開長さ」ということがある）については特に制限はないが、例えば、一般的な成人用のおむつにおいては、バックシートの片側側縁における展開長さが、少なくとも１０ｃｍであることが好ましい。このように構成することによって、排泄物のバックシート側縁からのはみ出しや、排泄物や洗浄用の溶剤等の飛散を有効に防止することができる。なお、上記展開長さは、バックシートの最もおむつの内側に食い込んでいる部位（例えば、図１における股下部４）から、汚れ防止シートの自由端までの距離とする。
【００６２】
なお、この汚れ防止シートの片側側縁における展開長さは、１５〜１００ｃｍであることが更に好ましく、２０〜５０ｃｍであることが特に好ましい。例えば、汚れ防止シートの展開長さが長すぎると、汚れ防止シートの使用されない部分が多くなり、シートが無駄に消費されてしまうことがある。また、バックシートの下面側に収納された際に厚みが増し、おむつ着用時において、後身頃側に違和感を生じさせることがある。
【００６３】
また、この汚れ防止シートは、汚れ防止シートの自由端に、バックシートの側縁から外方に引き出すための摘み部を有することが好ましい。例えば、図１２に示すテープ型使い捨ておむつ１ｄは、汚れ防止シート１４の自由端１６に、バックシート２０の側縁から外方に引き出すための舌片状の摘み部６２を有している。この摘み部６２については、摘み部６２の位置が認識し易いように、摘み部６２以外の箇所と異なる色となるように着色されていたり、文字、記号、及び図形のうちの少なくとも一つの表示が描かれていてもよい。
【００６４】
このような摘み部を有することによって、バックシートの側縁側からの汚れ防止シートの引き出しが容易になる。特に、着用者の体位を不要に交換させることなく、汚れ防止シートの引き出しが可能となり、介護者及び着用者の負担を少なくすることができる。また、不要な体位交換による排泄物の漏れ等を減少させることができる。
【００６５】
ここで、図１２は、本発明の吸収性物品の一の実施形態としてのテープ型使い捨ておむつの更に他の例を示す一部切り欠き断面図であり、テープ型使い捨ておむつを展開し、トップシート側から見た状態を示す図である。
【００６６】
上述した摘み部の形状については特に制限はないが、例えば、図１２に示すテープ型使い捨ておむつ１ｄのように、汚れ防止シート１４の側縁（自由端１６）から外側に突出した舌片状を呈するものを挙げることができる。
【００６７】
また、図１０のように、汚れ防止シート１４がロール状に巻き取られた状態で配置されている場合には、図示は省略するが、例えば、汚れ防止シートの自由端に、汚れ防止シートの幅よりも長さの長い紐状又は帯状の摘み部が接続され、巻き取られた状態の汚れ防止シートから摘み部が外にはみ出すように配置されていることが好ましい。このように構成された摘み部は、おむつの側縁の外方に向かって引張られることにより、巻き取られた汚れ防止シートが解かれて外方領域に展開されるようになる。
【００６８】
また、汚れ防止シートは、その自由端に、廃棄手段を有することが好ましい。図１３に示すテープ型使い捨ておむつ１ｅは、汚れ防止シート１４の自由端１６に、おむつ交換時に使用済みのおむつを丸めて廃棄するための廃棄用テープ６４ａ（廃棄手段６４）を有している。また、図１２に示すテープ型使い捨ておむつ１ｄは、両方の汚れ防止シート１４ａの摘み部６２に廃棄手段６４としてのファスナー（留め具）が配設されている。
【００６９】
このように構成することにより、例えば、おむつ廃棄時には、バックシートの各側縁に展開された汚れ防止シートによって、排泄物が付着・吸収された吸収体及びトップシートを内側にして包み込み、また汚れてしまった汚れ防止シートの内側が露出しないように丸め込みながら、廃棄手段にて汚れ防止シートを固定することができる。これにより、汚れ防止シートとバックシートによって、排泄物が漏れ出さないように包み込むことができ、衛生的に使用済みの使い捨ておむつを廃棄することができる。
【００７０】
このような廃棄手段は、従来の使い捨ておむつの廃棄用として使用されている廃棄手段を用いることができる。例えば、本実施形態のテープ型使い捨ておむつにおいては、粘着材により固定を行う粘着ファスナーや、機械的な係合により固定を行うメカニカルファスナー等を好適に用いることができる。
【００７１】
汚れ防止シートを構成する材料としては、少なくとも、飛散する少量の洗浄液、湯、軟便等から衣類や寝具等の汚れを防げればよく、例えば、ポリエチレン等の樹脂からなる液不透過性フィルム、或いはポリプロピレン、ポリエステル等の熱可塑性樹脂からなる撥水性の織布・不織布等を挙げることができ、それら複数の素材を組み合わせたものであってもよい。
【００７２】
汚れ防止シートは、バックシートの側縁側から漏れ出した排泄物を受け止めるためのシートであり、上記したように、液不透過性材料、或いは撥水性材料を含むように構成されたものであればよいが、例えば、シート展開時における上方の少なくとも一部に、吸収性材料からなる吸収性シートが更に配置されたものであってもよい。なお、吸収性シートを構成する吸収性材料については、一般に知られている使い捨ておむつ等の吸収性物品を構成する吸収体の材料と同様のものを好適に用いることができる。
【００７３】
更に、汚れ防止シートは、シート展開時における上方の少なくとも一部に、液透過性材料からなる液透過性シートが更に配置されたものであってもよい。この液透過性シートは、テープ型使い捨ておむつを構成するトップシートと同様のシート材料を用いることができる。なお、この液透過性シートは、上述した吸収性シートの上面に配置されていてもよいし、液不透過性材料、或いは撥水性材料を含むように構成されたシートの上面に直接配置されていてもよい。
【００７４】
このように構成することによって、汚れ防止シート上に排泄物が流出した際に、例えば、吸収性シートによって一部の排泄物を吸収させることができる。このため、汚れ防止シート上に流出した軟便や水様便等の処理がより容易になる。
【００７５】
例えば、図１４及び図１５に示すテープ型使い捨ておむつ１ｆは、液不透過性材料からなるシート１４ｐの上面に、吸収性材料からなる吸収性シート１４ｑが更に配置され、この吸収性シート１４ｑの上面に、液透過性材料からなる液透過性シート１４ｒが更に配置された汚れ防止シート１４を備えた場合の例を示している。
【００７６】
ここで、図１４は、本発明の吸収性物品の一の実施形態としてのテープ型使い捨ておむつの更に他の例を示す一部切り欠き断面図であり、テープ型使い捨ておむつを展開し、トップシート側から見た状態を示す図である。また、図１５は、図１４に示すテープ型使い捨ておむつのＥ−Ｅ’断面を示す概略断面図である。
【００７７】
また、本実施形態のテープ型使い捨ておむつは、汚れ防止シートの外周部分の少なくとも一部に、伸縮材を配置してもよい。このような伸縮材を配置することによって、汚れ防止シートを展開した時に立体的な形状をとりやすく、尿や洗浄液、軟便、水様便等が汚れ防止シートの表面を伝って汚れ防止シートの外側へ流出することを有効に防止することができる。
【００７８】
また、本実施形態のテープ型使い捨ておむつは、汚れ防止シートの外周部分の少なくとも一部に、排泄物の流出を防止するための立体ギャザーを更に有していている。このような立体ギャザーを更に有することによって、軟便や水様便等が汚れ防止シートの表面を伝って拡散した場合に、汚れ防止シートの外側への流出を有効に防止することができる。
【００７９】
このような立体ギャザーは、従来公知の吸収性物品、例えば、使い捨ておむつにおいて、吸収体の各側縁に沿って配置される立体ギャザーと同様に構成されたものを好適に用いることができる。
【００８０】
［１−２］吸収体：
吸収体は、着用者の尿や体液を吸収し、保持するための部材である。吸収体は、着用者の尿や体液を吸収し保持する必要から、吸収性材料によって構成される。
【００８１】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュ、吸収紙、親水化処理を行った不織布を用いることが好ましい。
【００８２】
これらの吸収性材料は、通常、単層ないしは複層のマット状として用いられる。この際、上述した吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００８３】
通常、吸収体は、トップシートとバックシートの間に挟み込まれ、その周縁部が封着されることによって、トップシートとバックシートとの間に介装される。従って、吸収体の周縁部にはトップシートとバックシートの間に吸収体が介装されていないサイドフラップが形成されることになる。吸収体は少なくとも股下部に介装され、この吸収体が前身頃や後身頃にまで及んでいてもよい。勿論、本発明の吸収性物品は、上記したサイドフラップが形成されていないものであってもよい。
【００８４】
吸収体は、その全体が親水性シートによって包み込まれていることが好ましい。このような構成は、吸収体からＳＡＰが漏洩することを防止し、吸収体に形状安定性を付与することができるという利点がある。
【００８５】
吸収体の形状については特に制限はないが、従来の使い捨ておむつ、その他の吸収性物品において使用される形状、例えば、矩形状、砂時計型、ひょうたん型、Ｔ字型等を挙げることができる。
【００８６】
図１に示すテープ型使い捨ておむつ１ａは、吸収体２２として、おむつの前身頃２や後身頃６に相当する部分が幅広な砂時計型の吸収体を用いた例である。
【００８７】
なお、吸収体には、その上面側に（例えば、吸収体とトップシートとの間に）、尿や体液等の液体を拡散させるためのシート（セカンドシート）を付帯的に配置してもよい。このセカンドシートを付設すると、排尿量が多い場合や複数回の排尿により吸収体に多くの尿が吸収された状態で排尿があった場合などでも、尿や体液等の吸収速度が低下し難く、吸収速度の低下による尿や体液等の漏れを防止することが可能となる。
【００８８】
セカンドシートを構成する材料としては、親水性で液透過性の材料、例えば、織布、不織布、多孔性プラスチック、フラッフパルプ等を挙げることができる。これらの構成素材としては、ポリプロピレン、ポリエチレン、ポリエステル、レーヨン、パルプ、或いはこれらの複合繊維等を挙げることができる。パルプとしては、カーリーセルロースファイバー等のけん縮繊維を好適に用いることができる。
【００８９】
［１−３］トップシート：
トップシートは、吸収体の上面（おむつの装着時において着用者の肌側に位置する面）を被覆するように配置されるシートである。トップシートは、その下面側に配置された吸収体に、着用者の尿等を吸収させる必要から、その少なくとも一部（全部ないし一部）が液透過性材料により構成される。通常、少なくとも吸収体の上面近傍については、着用者の尿や体液を透過させ得る液透過性の材料によって構成される。少なくとも一部が液透過性材料により構成されている限り、必ずしもトップシート全体が液透過性材料で構成されている必要はない。
【００９０】
トップシートを構成する液透過性材料としては、例えば、織布、不織布、多孔性フィルム等を挙げることができる。中でも、ポリプロピレン、ポリエチレン、ポリエステル、ナイロン等の熱可塑性樹脂からなる不織布に親水化処理を施したものを用いることが好ましい。不織布の種類についても特に制限はなく、エアースルー（カード熱風）、カードエンボス、スパンボンド等の各種製法によって製造された従来公知の不織布を好適に用いることができる。
【００９１】
トップシートは単一のシート材によって構成されていてもよいが、複数のシート材によって構成されていてもよい。例えば、吸収体の上面部分に配置されるトップシートと、サイドフラップの部分に配置されるトップシートとを異なるシートによって構成する形態もよく利用される。図１に示すテープ型使い捨ておむつ１ａは、おむつの中央部には液透過性材料からなるトップシート１８（センターシート１８ａ）を配置し、おむつのサイドフラップ８部分には液の透過に対して抵抗性を示す通気撥水性材料からなるトップシート１８（サイドシート１８ｂ）を配置した例である。通気撥水性シートとしては、カードエンボス、スパンボンド等の製法により製造された不織布であってもよいが、防水性の高いＳＭＳ、ＳＭＭＳ等の不織布シートが更に好ましい。なお、本発明の吸収性物品においては、このような通気撥水性シートを延出して、上述した汚れ防止シートの一部を形成してもよい。
【００９２】
［１−４］バックシート：
バックシートは、吸収体の下面（おむつの装着時において着用者の着衣側に位置する面）を被覆するように配置されるシートである。バックシートは、着用者の尿がおむつ外部に漏洩してしまうことを防止する必要から、液不透過性材料によって構成される。その配置方法については特に制限はないが、例えば、図１に示すテープ型使い捨ておむつ１ａのように、おむつの外形と一致するように、バックシート２０を配置する構成を採用することができる。但し、必ずしもこのような構成を採用する必要はなく、吸収体で吸収された尿の漏れを防止するという観点から、少なくとも吸収体の存在する部分に液不透過性材料からなるバックシートを配置してもよい。
【００９３】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００９４】
なお、バックシートには、その外表面側（下面側）にシート材（カバーシート）を貼り合わせてもよい。このカバーシートは、バックシートを補強し、バックシートの手触り（触感）を良好なものとするために用いられる。
【００９５】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。なお、本発明の吸収性物品においては、このバックシートを構成する液不透過性からなるシートやカバーシートを延出して、上述した汚れ防止シートを形成してもよい。
【００９６】
［１−５］止着テープ：
本実施形態のテープ型使い捨ておむつは、後身頃の左右の各側縁から延出するように配置された、前身頃と後身頃とを固定するための止着テープを備えている。なお、本発明の吸収性物品が、尿パッドの場合には、このような止着テープは備えていなくともよい。
【００９７】
止着テープのファスニング部材としては、粘着剤により固定を行う粘着ファスナーであってもよいが、機械的な結合により固定を行うメカニカルファスナー（面状ファスナー）を用いることが好ましい。メカニカルファスナーは、止着力が高いことに加え、複数回の脱着を行っても止着力が低下することがないという利点がある。
【００９８】
例えば、図１に示すテープ型使い捨ておむつ１ａは、ファスニング部材として、メカニカルファスナー４４を用いた例である。このような止着テープの先端近傍には、フック材が付設される。一方、前身頃には、この止着テープを止め付けることが可能なように、例えば、ループ材からなるフロントパッチが付設されていることが好ましい。
【００９９】
止着テープの数については特に制限はないが、例えば、成人用のテープ型おむつの場合、後身頃の左右の各側縁に、止着テープが２個ずつ配置されていることが好ましい。例えば、図１に示すテープ型使い捨ておむつ１ａは、後身頃６の左右の各側縁６ａ，６ｂに、止着テープ１０が２個ずつ配置されたものである。このように、止着テープが２個ずつ配置されたテープ型使い捨ておむつは、１個ずつ配置されたものと比較して、着用者の体型、具体的には、ウエスト周り、脚周りの寸法に合わせてテープ位置、締め付け具合を調節できるという点で優れている。
【０１００】
［１−６］立体ギャザー：
着用者の排泄した尿の横漏れを防止するため、立体ギャザーを有してもよい。立体ギャザーは、着用者の排泄した尿の横漏れを防止するための部材であり、立体的に起立可能なように構成された防漏壁である。このような立体ギャザーを形成することにより、センターシートの上を尿が拡散してしまった場合でも、立体ギャザーが防波堤となり、おむつの脚周り開口部等からの漏れ（いわゆる「横漏れ」）を有効に防止することができる。
【０１０１】
立体ギャザーの構成は、従来の使い捨ておむつ、その他の吸収性物品に使用される構成を採用することができる。例えば、通気撥水性シートの一部に伸縮材（立体ギャザー伸縮材）を配置し、その立体ギャザー伸縮材によってシート材にギャザー（襞）を形成したもの等を好適に用いることができる。
【０１０２】
図１に示すテープ型使い捨ておむつ１ａは、トップシート１８やバックシート２０とは全く別個のシート材を、吸収性本体１４の両側縁部に貼り合わせ、起立線から立体的に起立可能な構造とすることにより、１対の立体ギャザー２６ａ，２６ｂを形成した例である。この例では、シート材の端部（立体ギャザー２６ａ，２６ｂの上端縁に相当する側の端部）を折り返し、その折り返し部分に立体ギャザー伸縮材３６ａ，３６ｂを挟み込むように配置している。
【０１０３】
この立体ギャザーは、股下部からの漏れを防止するため、少なくとも股下部に形成されていればよいが、前身頃や後身頃に形成されていてもよい。例えば、図１に示すテープ型使い捨ておむつ１ａは、おむつの長手方向に沿って、股下部４から前身頃２と後身頃６の双方にかけて連続的に、一対の立体ギャザー２６（２６ａ，２６ｂ）が形成された例を示すものである。また、立体ギャザーは、少なくとも一対形成する必要があるが、二対以上形成してもよい。
【０１０４】
立体ギャザーはおむつの内側に向かって傾倒する内倒しギャザーであってもよいし、おむつの外側に向かって傾倒する外倒しギャザーであってもよい。また、高さ方向の一部に、曲げ部や折り返し部を形成した立体ギャザー（Ｃ折りギャザーやＺ折りギャザー等）とすることもできる。例えば、図１に示すテープ型使い捨ておむつ１ａは、立体ギャザー２６（２６ａ，２６ｂ）を内倒しギャザーとした例である。
【０１０５】
［１−７］各種伸縮材：
テープ型使い捨ておむつにおいては、脚周り伸縮材を配置し、ウエスト周り伸縮材を配置することが好ましい。
【０１０６】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。また、脚周り伸縮材を配置すると、おむつを交換する際に吸収体の両側で脚周り伸縮材が収縮するため、股下部近傍が椀状に変形し、凹部が形成される。このため、尿や体液がその凹部に溜まり、尿や体液をこぼすことなく、容易におむつの交換を行うことができる。
【０１０７】
例えば、図１に示すテープ型使い捨ておむつ１ａは、おむつの長手方向に沿って、直線的に二本の脚周り伸縮材４０を配置してレグギャザーを形成した例である。この脚周り伸縮材４０は、糸ゴムによって構成されている。但し、脚周り伸縮材は、必ずしも直線的に配置する必要はなく、例えば、おむつの脚周り開口部のカーブに沿って曲線的に配置してもよい。
【０１０８】
脚周り伸縮材は、例えば、図１に示すテープ型使い捨ておむつ１ａのように、立体ギャザー２６の起立線より外側の部分に、脚周り伸縮材４０が形成されていることが好ましい。このような構成とすると、立体ギャザーの十分な防漏効果を確保しつつ、股下部の装用感・装着感を向上させることができる。
【０１０９】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【０１１０】
なお、図１に示すテープ型使い捨ておむつ１ａは、おむつの後身頃６の端縁に沿って帯状のウエスト周り伸縮材４２を配置した例である。この帯状のウエスト周り伸縮材４２は、ウレタンフォーム等の伸縮性フォームによって構成されている。図示の例では、後身頃（背側）のみにウエスト周り伸縮材４２を配置しているが、前身頃（腹側）にウエスト周り伸縮材を配置してもよい。
【０１１１】
これらの伸縮材については、ギャザーの収縮の程度等を勘案した上で、構成材料、その材料の伸長率、固定時の伸長状態等を決定すればよい。
【０１１２】
伸縮材としては、従来の使い捨ておむつで使用されてきた伸縮材を好適に用いることができる。具体的には、天然ゴムや合成ゴム（ウレタンゴム等）の弾性材からなる糸ゴム、平ゴムの他、伸縮性ネット、伸縮性フィルム、伸縮性フォーム（ウレタンフォーム等）等を挙げることができる。
【０１１３】
伸縮材は、十分な伸縮力を作用させるため、伸長状態で固定することが好ましい。例えば、伸縮材が天然ゴムや合成ゴムである場合には、１２０〜４００％の伸長状態で固定することが好ましく、２００〜３００％の伸長状態で固定することがより好ましい。このような範囲の伸長状態で固定することにより、着用者に対して過度の締め付け力を作用させることなく、十分な伸縮力を作用させることが可能となる。
【０１１４】
前記のような伸縮材は、おむつの他の構成部材に対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【０１１５】
［２］尿パッド：
次に、本発明の吸収性物品の他の実施形態として、尿パッドを例として説明する。本実施形態の尿パッドは、おむつや下着等の股下部に配置して使用する吸収性物品である。
【０１１６】
本実施形態の尿パッドは、吸収体と、少なくとも一部が液透過性材料からなり、吸収体の上面を被覆するように配置されたトップシートと、液不透過性材料からなり、吸収体の下面を被覆するように配置されたバックシートとを備えた尿パッドであって、バックシートの下面側に折り畳まれた状態又はロール状に巻き取られた状態で配置された汚れ防止シートを更に備え、汚れ防止シートは、少なくとも一方の側縁が自由端となっており、この自由端がバックシートの各側縁の少なくとも一部から外方に引き出されることにより、バックシートの各側縁の外方領域に汚れ防止シートが展開されるように構成されている。
【０１１７】
例えば、このような尿パッドをテープ型使い捨ておむつの股下部に配置して使用することにより、尿パッドの交換時に、上記汚れ防止シートを展開させることによって、テープ型使い捨ておむつや寝具の汚れ等を有効に防止することができる。
【０１１８】
なお、この本実施形態の尿パッドの汚れ防止シートは、上述した本実施形態のテープ型使い捨ておむつの汚れ防止シートと同様に構成されたものを好適に用いることができる。
【０１１９】
また、尿パッドを構成する吸収体、トップシート、及びバックシートについては、従来公知の尿パッドにおける各構成要素と同様に構成されたものを好適に用いることができる。
【０１２０】
［３］製造方法：
次に、本発明の吸収性物品の製造方法について説明する。以下の説明では、図１〜図４に示すテープ型使い捨ておむつ１ａを製造する場合の例により説明する。
【０１２１】
まず、バックシート２０の材料となる長尺のシート材（バックシート材）の下面に、汚れ防止シート１４の材料となる長尺のシート材（汚れ防止シート材）を配置する。
【０１２２】
汚れ防止シート材は、バックシート材の下面に配置する前に、予め、シートの長手軸に沿って折り曲げて折り畳んだものを用いてもよいし、展開された状態のシートを用いてもよい。
【０１２３】
折り畳んだ汚れ防止シート材を用いる場合には、折り目が広がらないように、折り目の一部を仮止めしておくことが好ましい。仮止めの方法としては、ホットメルト接着剤による接着、熱エンボス加工や超音波溶着による極めて弱い溶着ないし圧着等の方法を挙げることができる。
【０１２４】
一方、汚れ防止シート材として展開された状態のものを用いる場合には、バックシート材の下面に汚れ防止シート材の固定端を載置し、汚れ防止シート材の自由端がバックシート材の側縁から外方に延出するような状態で配置する。
【０１２５】
この展開された状態の汚れ防止シート材を所定の状態に折り畳む方法しては、シートの長手軸に沿って折り返す方法を挙げることができる。
【０１２６】
なお、このようにして汚れ防止シート材を折り畳んだ後には、その折り目が広がらないように、上述した方法によって、折り目の一部を仮止めしておくことが好ましい。
【０１２７】
また、上記汚れ防止シート材としては、シート展開時における上面の少なくとも一部に、吸収性材料からなる吸収性シートが更に配置されたものを用いてもよいし、液透過性材料からなる液透過性シートが更に配置されたものを用いてもよい。
【０１２８】
このようにして、バックシート材の下面に汚れ防止シート材を配置した後に、バックシート材の上面に、親水性シートに包まれた吸収体２２及び脚周り伸縮材４０を載置し、更にその上面にトップシート１８の材料となる長尺のシート材（トップシート材）を載置する。なお、この工程は、上述した汚れ防止シート材を配置する工程と同時に行ってもよい。
【０１２９】
以上のようにして、汚れ防止シート材、バックシート材、吸収体、及びトップシート材が配置された、おむつの中間体となる積層体（おむつ連続体）を得る。
【０１３０】
なお、このようなおむつ連続体を得る場合には、上記したように、汚れ防止シートとなる汚れ防止シート材を別途配置するのではなく、例えば、必要とするバックシートの幅よりも幅広のバックシート材を用い、このバックシート材の両側縁から一定の幅の部分（以下、「汚れ防止シート形成領域」という）を、汚れ防止シートを形成するためのシート材として用いることもできる。
【０１３１】
このような幅広のバックシート材を用いた場合には、上記汚れ防止シート形成領域を、バックシート材の下面側の幅方向中央に向けて折り返し、折り返した汚れ防止シート形成領域の自由端（即ち、幅広のバックシート材の各側縁）をバックシート材の下面側に仮止めする。このように折り返した部位によって汚れ防止シートが形成される。
【０１３２】
このように構成することによって、バックシートの側縁から一体的に延出された汚れ防止シートを形成することができる。また、上記幅広のバックシート材とともに、必要とするトップシートの幅よりも幅広のトップシート材を用いることによって、バックシートとトップシートによって構成されるサイドフラップから延出された汚れ防止シートを形成することもできる。
【０１３３】
このようにして得られたおむつ連続体は、おむつの脚周り開口部に相当する部分を円弧状に切り抜いて切除し（Ｒカット）、脚周り開口部を形成する。最後に、おむつの後身頃６の側縁６ａ，６ｂに、止着テープ１０を付設し、おむつ連続体を個々のおむつに切断することにより、テープ型使い捨ておむつ１ａを製造する。
【０１３４】
なお、上記のような方法の他、予めトップシート材に止着テープを付設しておき、バックシート材の上面に、親水性シートに包まれた吸収体及び脚周り伸縮材を載置し、更にその上面に伸縮性止着テープが付設されたトップシート材を載置することにより、おむつ連続体を得てもよい。
【０１３５】
なお、吸収性物品として尿パッドを製造する場合には、上述したバックシート材の下面に汚れ防止シート材を配置する工程を有する以外は、従来の吸収性物品の製造方法と同様にして吸収性物品を製造することができる。
【０１３６】
上述したような一連の製造工程は、機械的な手段によって連続的に行うことが可能である。例えば、長尺のシート材をローラーから連続的に送出する等の方法・装置を採用することにより、吸収性物品、例えば、テープ型使い捨ておむつの連続製造が可能となり、生産性の向上に資する。
【産業上の利用可能性】
【０１３７】
本発明の吸収性物品は、乳幼児用、或いは介護を必要とする高齢者や障害者等の成人用の使い捨ておむつ及びその補助部材として好適に利用することができる。
【図面の簡単な説明】
【０１３８】
【図１】本発明の吸収性物品の一の実施形態としてのテープ型使い捨ておむつを示す一部切り欠き断面図であり、テープ型使い捨ておむつを展開し、トップシート側から見た状態を示す図である。
【図２】図１に示すテープ型使い捨ておむつのバックシート側から見た状態を示す図である。
【図３】図１に示すテープ型使い捨ておむつのＡ−Ａ’断面を示す概略断面図である。
【図４】図１に示すテープ型使い捨ておむつのＢ−Ｂ’断面を示す概略断面図である。
【図５】図１に示すテープ型使い捨ておむつの汚れ防止シートを展開させ、トップシート側から見た状態を示す図である。
【図６】図５に示すテープ型使い捨ておむつのバックシート側から見た状態を示す図である。
【図７】図５に示すテープ型使い捨ておむつのＣ−Ｃ’断面を示す概略断面図である。
【図８】図５に示すテープ型使い捨ておむつのＤ−Ｄ’断面を示す概略断面図である。
【図９】図５に示すテープ型使い捨ておむつの斜視図である。
【図１０】吸収性物品としてのテープ型使い捨ておむつの他の例を示す平面図であり、テープ型使い捨ておむつを展開し、バックシート側から見た状態を示す図である。
【図１１】本発明の吸収性物品の一の実施形態としてのテープ型使い捨ておむつの更に他の例を示す平面図であり、テープ型使い捨ておむつを展開し、バックシート側から見た状態を示す図である。
【図１２】本発明の吸収性物品の一の実施形態としてのテープ型使い捨ておむつの更に他の例を示す一部切り欠き断面図であり、テープ型使い捨ておむつを展開し、トップシート側から見た状態を示す図である。
【図１３】本発明の吸収性物品の一の実施形態としてのテープ型使い捨ておむつの更に他の例を示す一部切り欠き断面図であり、テープ型使い捨ておむつを展開し、トップシート側から見た状態を示す図である。
【図１４】本発明の吸収性物品の一の実施形態としてのテープ型使い捨ておむつの更に他の例を示す一部切り欠き断面図であり、テープ型使い捨ておむつを展開し、トップシート側から見た状態を示す図である。
【図１５】図１４に示すテープ型使い捨ておむつのＥ−Ｅ’断面を示す概略断面図である。
【図１６】従来の吸収性物品としてのテープ型使い捨ておむつを示す一部切り欠き断面図であり、テープ型使い捨ておむつを展開し、トップシート側から見た状態を示す図である。
【符号の説明】
【０１３９】
１：吸収性物品、１ａ，１ｂ，１ｃ，１ｄ，１ｅ，１ｆ，１００：テープ型使い捨ておむつ、２：前身頃、４：股下部、６：後身頃、６ａ，６ｂ：側縁、８：サイドフラップ、１０：止着テープ、１４，１４ａ，１４ｂ：汚れ防止シート、１４ｐ：液不透過性材料からなるシート、１４ｑ：吸収性シート、１４ｒ：液透過性シート、１６，１６ａ，１６ｂ：自由端、１７：固定端、１８：トップシート、１８ａ：センターシート、１８ｂ：サイドシート、２０：バックシート、２２：吸収体、２４：摘み部、２６，２６ａ，２６ｂ：立体ギャザー、３６，３６ａ，３６ｂ：立体ギャザー伸縮材、４０：脚周り伸縮材、４２：ウエスト周り伸縮材、４４：メカニカルファスナー、６２：摘み部、６４：廃棄用テープ。
【図１】
0005021518.tif 000002
【図２】
0005021518.tif 000003
【図３】
0005021518.tif 000004
【図４】
0005021518.tif 000005
【図５】
0005021518.tif 000006
【図６】
0005021518.tif 000007
【図７】
0005021518.tif 000008
【図８】
0005021518.tif 000009
【図９】
0005021518.tif 000010
【図１０】
0005021518.tif 000011
【図１１】
0005021518.tif 000012
【図１２】
0005021518.tif 000013
【図１３】
0005021518.tif 000014
【図１４】
0005021518.tif 000015
【図１５】
0005021518.tif 000016
【図１６】
0005021518.tif 000017